(57)【要約】【課題】組立性および施工性がよく、バッテリ15の交換も容易にできる誘導灯11を提供する。【解決手段】点灯ユニット17にバッテリ収納部61を一体に設ける。バッテリ15は、誘導灯本体12の外部からバッテリ着脱口33を通じて、点灯ユニット17のバッテリ収納部61に収納する。バッテリ15を交換する際には、誘導灯本体12の外部からバッテリ着脱口33を通じて点灯ユニット17のバッテリ収納部61に収納されているバッテリ15を交換する。端子台16を点灯ユニット17の端子台接続部65に着脱可能とし、端子台16を点灯ユニット17から外した状態で電源線を接続可能とする。電源線を接続した端子台16を点灯ユニット17の端子台接続部65に取り付け、端子台16と点灯ユニット17とを電気的に接続する。【選択図】図１
2008103124.tif 000002
【特許請求の範囲】
【請求項１】
表示部と；
表示部が少なくとも一面に配置され、表示部の位置を除く外面にバッテリ着脱口が設けられた誘導灯本体と；
表示部を照明する光源と；
非常用電源となるバッテリと；
誘導灯本体内に取り付けられるケース、ケースに一体に設けられ誘導灯本体のバッテリ着脱口を通じてバッテリが着脱可能に収納されるバッテリ収納部、およびケース内に収納され通常電源とバッテリ収納部に収納されたバッテリの非常用電源とで切り換えて光源を点灯させる点灯回路を有する点灯ユニットと；
を具備していることを特徴とする誘導灯。
【請求項２】
通常電源を供給する電源線が接続される端子台を具備し、
点灯ユニットのケースに、端子台が着脱可能に取り付けられるとともに取付状態で点灯回路側と電気的に接続される端子台接続部が設けられている
ことを特徴とする請求項１記載の誘導灯。
【発明の詳細な説明】
【技術分野】
【０００１】
本発明は、非常用電源となるバッテリを備えた誘導灯に関する。
【背景技術】
【０００２】
従来、誘導灯は、誘導灯本体、この誘導灯本体の少なくとも正面側に配置された表示板、この表示板を照明する光源、商用電源などの通常電源を供給する電源線を接続する端子台、非常用電源となるバッテリ、通常電源とバッテリの非常用電源とで切り換えて光源を点灯させる点灯回路を有する点灯ユニットなどを備えている。
【０００３】
端子台、バッテリ、点灯ユニットなどは、誘導灯本体内に個別にねじなどを用いて取り付けられ、これらの間が配線にて接続されている（例えば、特許文献１参照。）。
【特許文献１】特開２００１−３５１４１７号公報（第４−６頁、図１−７）
【発明の開示】
【発明が解決しようとする課題】
【０００４】
しかしながら、従来の誘導灯では、誘導灯本体内に、端子台、バッテリ、点灯ユニットなどを個別に取り付ける構造であるため、誘導灯本体内にはそれぞれを取り付ける構造やそれらの間を接続する配線が必要となり、誘導灯本体自体が複雑になったり、誘導灯本体内が配線などで複雑化して組立性やメンテナンス性が損なわれる問題がある。
【０００５】
また、誘導灯の組立時においては、誘導灯本体内に、端子台、バッテリ、点灯ユニットなどを個別に取り付けなければならず、それらの間での配線も必要となるため、組立作業に手間と時間がかかる問題がある。
【０００６】
また、誘導灯の施工時において、工場出荷状態ではバッテリが放電防止のために点灯ユニットに接続されていないので、このバッテリと点灯ユニットとを配線で接続する必要があり、この場合、誘導灯本体内には端子台、バッテリ、点灯ユニットなどが取り付けられた状態であるため、配線作業に手間と時間がかかる問題がある。さらに、誘導灯の施工時においては、設置した誘導灯本体内に引き込んだ電源線を誘導灯本体内に既に取り付けられている端子台に差し込んで接続する必要がある。端子台の電源線差込方向は、誘導灯の厚み方向には寸法に制限があるため、表示板と平行な方向としているが、その方向にはバッテリや点灯ユニットなどが配置されており、誘導灯本体内の狭い空間で作業しなければならず、作業しにくい問題がある。
【０００７】
また、誘導灯の運用時において、バッテリについては寿命がくる度に交換する必要がある。バッテリを交換する場合には、表示板を外し、バッテリの配線を外すとともにバッテリを誘導灯本体から外し、新たなバッテリを誘導灯本体に取り付けるとともに配線し、表示板を再び取り付けなければならず、交換作業に手間と時間がかかる問題がある。特に、誘導灯は、天井または天井近くなどの高い位置に設置されていることが多く、脚立などを用いて作業するが、表示板を外すために、脚立の上り下りを繰り返さなければならず、交換作業に手間と時間がかかる問題がある。
【０００８】
本発明は、このような点に鑑みなされたもので、組立性および施工性がよく、バッテリの交換も容易にできる誘導灯を提供することを目的とする。
【課題を解決するための手段】
【０００９】
請求項１記載の誘導灯は、表示部と；表示部が少なくとも一面に配置され、表示部の位置を除く外面にバッテリ着脱口が設けられた誘導灯本体と；表示部を照明する光源と；非常用電源となるバッテリと；誘導灯本体内に取り付けられるケース、ケースに一体に設けられ誘導灯本体のバッテリ着脱口を通じてバッテリが着脱可能に収納されるバッテリ収納部、およびケース内に収納され通常電源とバッテリ収納部に収納されたバッテリの非常用電源とで切り換えて光源を点灯させる点灯回路を有する点灯ユニットと；を具備しているものである。
【００１０】
表示部には、例えば、人が避難している絵柄や矢印などを表示する表示面が形成された透光性を有する表示板や導光板を用いてもよい。
【００１１】
誘導灯本体は、例えば、一面あるいは両面を開口した箱形とし、その一面あるいは両面に表示部が配置され、天井面や壁面などに取り付けられる。誘導灯本体のバッテリ着脱口は、例えば、誘導灯本体の下面に設けられ、このバッテリ着脱口には開閉する蓋体を設けてもよい。
【００１２】
光源には、例えば、発光ダイオード素子、冷陰極放電ランプ、有機ＥＬなどを用いてもよく、発光ダイオード素子を用いる場合には表示部の面方向に沿って複数の発光ダイオード素子を配列するのが望ましい。
【００１３】
バッテリには、例えば、点灯ユニットのバッテリ収納部に収納されたときに点灯回路側と電気的に接続される接続端子を備え、通常電源で充電可能な二次電池を用いてもよい。
【００１４】
点灯ユニットのケースは、例えば、誘導灯本体内に着脱可能に取り付けられ、ねじ固定せず、爪構造などによって容易に取り付けられるようにしてもよい。
【００１５】
点灯ユニットのバッテリ収納部には、例えば、収納されたバッテリの接続端子と電気的に接続される接続端子とともに、バッテリが収納された状態で保持するとともにバッテリ着脱口を通じた操作でバッテリの保持を解除してバッテリの取り出しを可能とする保持機構を備えていてもよい。
【００１６】
点灯ユニットの点灯回路は、通常電源とバッテリの非常用電源とのいずれの電源でも光源を点灯でき、通常電源の遮断時に非常用電源に切り換えて光源を点灯させる機能を有する。
【００１７】
そして、点灯回路を有する点灯ユニットにバッテリ収納部を一体に設けたため、それらを誘導灯本体に個別に取り付けることがなく、それらの間での配線作業も不要となる。しかも、バッテリについては、施工時には、誘導灯本体の外部からバッテリ着脱口を通じて点灯ユニットのバッテリ収納部に収納させるだけでよく、さらに、運用時には、寿命となったバッテリを交換する際に、表示部を外すことなく、誘導灯本体の外部からバッテリ着脱口を通じて点灯ユニットのバッテリ収納部に収納されているバッテリを交換可能とする。
【００１８】
請求項２記載の誘導灯は、請求項１記載の誘導灯において、通常電源を供給する電源線が接続される端子台を具備し、点灯ユニットのケースに、端子台が着脱可能に取り付けられるとともに取付状態で点灯回路側と電気的に接続される端子台接続部が設けられているものである。
【００１９】
通常電源には、例えば、商用電源などが用いられる。
【００２０】
端子台は、例えば、電源線挿入孔を有する端子台本体、およびこの端子台本体内に配置され電線挿入孔に挿入される電源線と電気的に接続されるとともに電源線を機械的に係止する自己鎖錠形の端子片などを備えている。端子台接続部に取り付けられた際に、端子台接続部側に対して係止する係止爪などの係止構造や、点灯回路側と電気的に接続する接続端子を備える。
【００２１】
点灯ユニットの端子台接続部には、例えば、取り付けられた端子台の接続端子と電気的に接続される接続端子とともに、端子台が取り付けられた状態で係止する係止爪などの係止構造を備えていてもよい。
【００２２】
そして、端子台を点灯ユニットの端子台接続部に着脱可能としているため、端子台を点灯ユニットから外した状態で電源線を接続し、この電源線を接続した端子台を点灯ユニットの端子台接続部に取り付けることが可能となる。
【発明の効果】
【００２３】
請求項１記載の誘導灯によれば、点灯回路を有する点灯ユニットにバッテリ収納部を一体に設けたため、それらを誘導灯本体に個別に取り付けることがなく、それらの間での配線作業も不要となり、組立性を向上できる。しかも、バッテリについては、施工時には、誘導灯本体の外部からバッテリ着脱口を通じて点灯ユニットのバッテリ収納部に収納させるだけでよく、配線作業が不要で、施工性を向上でき、さらに、運用時には、寿命となったバッテリを交換する際に、表示部を外すことなく、誘導灯本体の外部からバッテリ着脱口を通じて点灯ユニットのバッテリ収納部に収納されているバッテリを容易に交換できる。
【００２４】
請求項２記載の誘導灯によれば、請求項１記載の誘導灯の効果に加えて、端子台を点灯ユニットの端子台接続部に着脱可能としているため、端子台を点灯ユニットから外した状態で電源線を接続することができ、誘導灯本体内の狭いスペースで配線作業することなく、端子台に電源線を容易に接続でき、さらに、この電源線を接続した端子台は点灯ユニットの端子台接続部に取り付けるだけで電気的に接続でき、施工性を向上できる。
【発明を実施するための最良の形態】
【００２５】
以下、本発明の一実施の形態を図面を参照して説明する。
【００２６】
図１は誘導灯の分解状態の斜視図、図２は誘導灯の誘導灯本体に点灯ユニットを取り付けた分解状態の斜視図である。
【００２７】
誘導灯11は、天井面または壁面に取付可能で、誘導灯本体12、この誘導灯本体12の一面である正面側に着脱可能に取り付けられる表示ユニット13、誘導灯本体12内の上部側に着脱可能に取り付けられる光源ユニット14、非常用電源となるバッテリ15、商用電源である通常電源を誘導灯11に供給する電源線が接続される端子台16、誘導灯本体12内に着脱可能に取り付けられる点灯ユニット17を備えている。バッテリ15および端子台16は、点灯ユニット17に着脱可能に取付可能としている。
【００２８】
そして、誘導灯本体12は、正面背面方向つまり厚み方向に薄形で正面側が開口されており、四角形板状の背面部21、上面部22、下面部23、および両側の側面部24を有し、上面部22と下面部23と両側の側面部24とで四角形枠状に形成されている。
【００２９】
背面部21は、中央域が平板状で、両側域が正面側に向けて湾曲する曲面状に形成されている。背面部21の中央域には、壁面取付用の取付孔25が形成され、電源線を誘導灯本体12内に引き込む挿通孔26が形成されている。
【００３０】
背面部21の内面には、点灯ユニット17を着脱可能に取り付ける点灯ユニット取付部27が形成されている。この点灯ユニット取付部27には、背面部21の内面の両側部近傍位置でかつ上下方向に離間した上下２箇所に、背面部21の内面から突出するとともにその突出先端から背面部21の中央方向に向けて突出する断面略Ｌ字形のホルダ部28が突設されている。両側のホルダ部28間の位置でかつ上部側のホルダ部28より上方位置に、上部側から下部側にかけて背面部21の内面からの突出量が多くなるように突出する複数の係止爪29が突設されている。
【００３１】
上面部22には、誘導灯本体12内に突出する段部30が形成され、この段部30の内側に誘導灯本体12内に開口する凹部31が形成されている。この凹部31には、図示していないが、天井取付用の取付孔および挿通孔が形成されている。これら取付孔および挿通孔は、ノックアウト構造が採用されていて通常は閉塞部材で覆われ、誘導灯11を天井取付する場合に閉塞部材を取り除いて取付孔および挿通孔を開口させることによって使用される。段部30の正面側には、上面部22の内面との間に所定の間隙をあけて複数の基板押え部32が突出形成されている。
【００３２】
下面部23には、四角形状のバッテリ着脱口33が開口形成され、このバッテリ着脱口33には開閉可能に閉塞する蓋体34が配置されている。さらに、下面部23には、点検用窓部35や表示用窓部36などが形成されている。
【００３３】
両側の側面部24の外面上下部には、誘導灯本体12の正面側から取り付けられた表示ユニット13を取付状態に係止する係止部としての係止爪37やダボ38が形成されている。両側の側面部24の内面上部には、光源ユニット14を取付状態に係止する係止爪39が形成されている。
【００３４】
また、表示ユニット13は、人が避難している絵柄を表示する表示面が形成された透光性を有する表示部としての表示板42、およびこの表示板42を保持した枠部43を備えている。枠部43には誘導灯本体12の両側外面に被着して取り付けられる両側の側板部44が形成され、この両側の側板部44の内面には取付状態で誘導灯本体12の両側の係止爪37やダボ38に係止される図示しない被係止部が設けられている。枠部の上部には突片45が突設されている。
【００３５】
また、光源ユニット14は、光源として複数の発光ダイオード素子48が用いられ、これら複数の発光ダイオード素子48が細長く形成された基板49の長手方向に沿って配置されている。基板49には、複数の発光ダイオード素子48が接続される図示しない回路が形成され、この回路に点灯ユニットと接続するための図示しないコネクタ付きのコードが接続されている。基板49は、発光ダイオード素子48が配置された面を下方へ向けた状態で、誘導灯本体12の上面部22と複数の基板押え部32との間の間隙に差し込み可能とし、その差し込み状態で誘導灯本体12に位置決めされる。
【００３６】
誘導灯本体12に差し込まれた基板49を押え付けて保持するために、誘導灯本体12の正面上部側に着脱可能に取り付けられるカバー50を備えている。このカバー50には誘導灯本体12の両側内面に挿入されて取り付けられる両側の取付片51を有し、この両側の取付片51には取付状態で誘導灯本体12の両側の係止爪39に係止される被係止部としての係止溝52が形成されている。
【００３７】
また、バッテリ15は、通常電源によって充電可能な二次電池が用いられ、四角形柱形状にパッケージングされている。このバッテリ15の長手方向の一端側には、点灯ユニット17側と電気的に接続される図示しない接続端子が配置されている。
【００３８】
また、端子台16は、四角形箱状の端子台本体55を有し、この端子台本体55の上面には電源線が挿入される図示しない複数の電源線挿入孔が形成され、端子台本体55内には電線挿入孔に挿入される電源線と電気的に接続されるとともに電源線を機械的に係止する自己鎖錠形の図示しない端子片が配置されている。端子台本体55の両側面には、端子台16を点灯ユニット17に取り付けた状態で係止する係止部としての係止爪56が形成されている。端子台本体55の背面から底面にかけて複数のスリット57が形成され、これらスリット57の内側に端子片と電気的に接続された図示しない接続端子が配置されている。
【００３９】
また、点灯ユニット17は、誘導灯本体12内に取り付けられるケース60と、このケース60に一体に設けられ誘導灯本体12のバッテリ着脱口33を通じてバッテリ15が着脱可能に収納されるバッテリ収納部61と、ケース60内に収納され、通常電源とバッテリ収納部61に収納されたバッテリ15の非常用電源とで切り換えて発光ダイオード素子48を点灯させる点灯回路62とを備えている。
【００４０】
ケース60は、箱状で、上部中央に端子台16が正面方向から着脱可能に取り付けられる溝部63を有しており、正面視で凹字形に形成され、その溝部63に端子台16が取り付けられることで正面視で四角形状の外形状に形成される。
【００４１】
ケース60の両側面で上下方向に離間した上下２箇所に、誘導灯本体12の断面略Ｌ字形の各ホルダ部28に上方からスライドさせて取り付けられる取付部64が突設されている。ケース60は、取付部64が誘導灯本体12のホルダ部28に取り付けられて、ケース60の下面が誘導灯本体12の下面部23に当接するなどして下降が規制された位置で、ケース60の上部が誘導灯本体12の係止爪29を下方へ乗り越え、その係止爪29でケース60の上方への移動が規制される関係を有している。
【００４２】
ケース60の溝部63の位置は、端子台16が正面方向から着脱可能に取り付けられるとともに取付状態で点灯回路62側と電気的に接続される端子台接続部65として構成されている。この端子台接続部65には、溝部63の両側の壁面に、正面背面方向つまり厚み方向に沿って開口していて、端子台16の両側の係止爪56が正面背面方向つまり厚み方向に移動可能に係合される係合溝66が形成されている。この両側の係合溝66の途中位置には、端子台16が端子台接続部65の所定位置まで挿入されたときに、端子台16の両側の係止爪56と係合して端子台16を抜け止め係止する非係止部としての係止段部67が形成されている。さらに、端子台接続部65には、端子台16が端子台接続部65の所定位置まで挿入される際に、端子台16のスリット57に差し込まれてスリット57の内側に配置された端子台16の接続端子と電気的に接続される図示しない複数の接続端子が配置されている。この接続端子は点灯回路62の通常電源入力側に接続されている。
【００４３】
ケース60の下面には、誘導灯本体12のバッテリ着脱口33と点検用窓部35および表示用窓部36とに対応して、バッテリ収納部61の開口部68、点灯回路62に臨む開口部69が形成されている。
【００４４】
バッテリ収納部61は、点灯ユニット17のケース60の一側にバッテリ15を収納可能とする四角形筒状に形成されている。バッテリ収納部61の上部側にはバッテリ15の接続端子と接続される図示しない接続端子が接続され、この接続端子は点灯回路62に接続されている。なお、バッテリ収納部61には、バッテリ15が収納された状態で保持するとともにバッテリ着脱口33を通じた操作でバッテリ15の保持を解除してバッテリ15の取り出しを可能とする保持機構を備えていてもよい。
【００４５】
点灯回路62は、点灯ユニット17のケース60の他側に配置され、点灯ユニット17内で、端子台16を通じて通常電源が供給されるとともに、バッテリ収納部61に収納されたバッテリ15が接続されている。光源ユニット14の基板49とは、点灯回路62から引き出されている図示しないコードのコネクタと基板49から引き出されているコードのコネクタとを結合して接続されている。
【００４６】
点灯回路62では、通常電源とバッテリ15の非常用電源とのいずれでの電源でも発光ダイオード素子48を点灯でき、通常電源の通電時には通常電源で発光ダイオード素子48を点灯させるとともにバッテリ15を充電し、通常電源の遮断時にバッテリ15の非常用電源に切り換えて発光ダイオード素子48を点灯させる機能を有している。
【００４７】
点灯回路62には、図示していないが、バッテリ15を点検する点検スイッチ、バッテリ15の状態を表示する充電モニタ、発光ダイオード素子48の状態を表示する光源モニタなどのランプが接続されている。これら点検スイッチやランプは、点灯ユニット17のケース60の開口部69を通じて誘導灯本体12の点検用窓部35および表示用窓部36にそれぞれ臨んで配置されている。
【００４８】
次に、本実施の形態の作用を説明する。
【００４９】
まず、誘導灯11の組立について説明する。
【００５０】
誘導灯本体12の内側に、点灯ユニット17の両側の各取付部64が誘導灯本体12の各ホルダ部28に上側近傍に位置するように配置し、点灯ユニット17を誘導灯本体12に対して下方へ移動させることにより、各取付部64が各ホルダ部28に係合し、点灯ユニット17の下面が誘導灯本体12の下面部23に当接するなどして点灯ユニット17の下降が規制される際に点灯ユニット17の上部が誘導灯本体12の係止爪29を下方に乗り越え、その係止爪29で点灯ユニット17の上方への移動が規制される。これにより、誘導灯本体12の内側に点灯ユニット17が取り付けられる。
【００５１】
光源ユニット14の基板49を、発光ダイオード素子48が配置された基板49の面を下方へ向けた状態で、誘導灯本体12の上面部22と複数の基板押え部32との間の間隙に差し込んで取り付ける。カバー50を誘導灯本体12の正面上部側に取り付け、このカバー50で誘導灯本体12に差し込まれた基板49を押え付けて保持する。
【００５２】
光源ユニット14から引き出されているコードのコネクタと基板49から引き出されているコードのコネクタとを結合して電気的に接続する。
【００５３】
端子台16および表示ユニット13については、それぞれ点灯ユニット17および誘導灯本体12に着脱可能であるため、工場出荷状態において、それぞれ点灯ユニット17および誘導灯本体12に取り付けていてもよいし、分離状態のままでもよい。また、バッテリ15については、点灯ユニット17のバッテリ収納部61に収納して点灯回路62に接続してしまうと放電してしまう可能性があるため、工場出荷状態において、点灯ユニット17のバッテリ収納部61に収納しなくてよい。
【００５４】
このように、本誘導灯11では、点灯回路62を有する点灯ユニット17にバッテリ収納部61を一体に設けたため、それらを誘導灯本体12に個別に取り付けることがなく、それらの間での配線作業も不要となり、組立性を向上できる。
【００５５】
次に、誘導灯11の施工について説明する。
【００５６】
表示ユニット13が外された状態にある誘導灯本体12を、壁面または天井面に設置する。誘導灯本体12を壁面に取り付ける場合には、壁面の取付位置に予め配線されている電源線を挿通孔26から誘導灯本体12内に引き込み、誘導灯本体12の取付孔25を利用して誘導灯本体12を壁面にねじやボルトで固定する。また、誘導灯本体12を天井面に取り付ける場合には、誘導灯本体12の上面部22に設けられているノックアウト構造の挿通孔などをあけ、天井面の取付位置に予め配線されている電源線を上面部22の挿通孔から誘導灯本体12内に引き込み、誘導灯本体12の上面部22の取付孔を利用して誘導灯本体12を天井面にねじやボルトで固定する。
【００５７】
点灯ユニット17から外された状態にある端子台16に、誘導灯本体12に引き込んだ電源線を挿入して接続する。このとき、端子台16が外された状態にあるため、誘導灯本体12内の狭いスペースで電源線の配線作業することなく、端子台16に電源線を容易に接続できる。
【００５８】
電源線を接続した端子台16を点灯ユニット17の端子台接続部65に前方から挿入し、端子台16の両側の係止爪56を端子台接続部65の両側の係止段部67に係合させて取り付ける。端子台16を点灯ユニット17の端子台接続部65に取り付けることにより、端子台接続部65に配置されている接続端子が端子台16のスリット57に差し込まれてそのスリット57の内側に配置されている端子台16の接続端子と電気的に接続される。
【００５９】
表示ユニット13を誘導灯本体12の正面側を覆って取り付ける。
【００６０】
誘導灯本体12の下面のバッテリ着脱口33を閉塞している蓋体34を開き、バッテリ着脱口33からバッテリ15を挿入し、点灯ユニット17のバッテリ収納部61に収納し、蓋体34を閉じる。バッテリ15を点灯ユニット17のバッテリ収納部61に収納することにより、バッテリ15の接続端子とバッテリ収納部61の接続端子とが電気的に接続され、バッテリ15と点灯回路62とが電気的に接続される。
【００６１】
このように、端子台16については、点灯ユニット17の端子台接続部65に着脱可能としているため、端子台16を点灯ユニット17から外した状態で電源線を接続することができ、誘導灯本体12内の狭いスペースで配線作業することなく、端子台16に電源線を容易に接続でき、さらに、この電源線を接続した端子台16は点灯ユニット17の端子台接続部65に取り付けるだけで電気的に接続でき、施工性を向上できる。
【００６２】
バッテリ15については、誘導灯本体12の外部からバッテリ着脱口33を通じて点灯ユニット17のバッテリ収納部61に収納させるだけでよく、配線作業が不要で、施工性を向上できる。
【００６３】
次に、誘導灯11の運用について説明する。
【００６４】
点灯回路62は、通常電源の通電時に、通常電源で発光ダイオード素子48を点灯させるとともにバッテリ15を充電し、また、通常電源の遮断時に、バッテリ15の非常用電源に切り換えて発光ダイオード素子48を点灯させる。
【００６５】
誘導灯本体12の下面の点検用窓部35に臨む点検スイッチを操作することにより、点灯回路62は通常電源からバッテリ15の非常用電源に切り換えて発光ダイオード素子48を点灯させるように動作し、そのときの点灯状態を確認することにより、バッテリ15や点灯回路62の異常を点検できる。また、誘導灯本体12の下面の表示用窓部36に臨む各種のランプによっても、バッテリ15や発光ダイオード素子48の状態を確認できる。
【００６６】
また、バッテリ15の寿命で交換する場合には、誘導灯本体12の下面のバッテリ着脱口33を閉塞している蓋体34を開き、交換するバッテリ15をバッテリ着脱口33から取り出し、新たなバッテリ15をバッテリ着脱口33から挿入して点灯ユニット17のバッテリ収納部61に収納し、蓋体34を閉じる。
【００６７】
このように、寿命となったバッテリ15を交換する際に、表示ユニット13を外すことなく、誘導灯本体12の外部からバッテリ着脱口33を通じて点灯ユニット17のバッテリ収納部61に収納されているバッテリ15を容易に交換できる。
【００６８】
また、誘導灯本体12の背面部21の挿通孔26および上面部22の挿通孔に対向する点灯ユニット17の上部中央位置に端子台接続部65を設け、その端子台接続部65に取り付ける端子台16の電線挿入方向を各挿通孔方向である上方とすることにより、誘導灯本体12内での配線状態の電源線のねじれが少なく、配線スペースも小さくできる。
【００６９】
また、誘導灯11の設置状態では、誘導灯本体12の背面部21の両側が正面側に向けて湾曲されているため、誘導灯本体12の両側の側面部24は壁面に対して離反した状態となる。そして、誘導灯本体12の背面部21の両側が正面側に向けて湾曲することにより、両側の側面部24の奥行き方向の寸法が薄くなるため、視覚的に誘導灯11が薄形に見えやすくなり、誘導灯11の外観を向上できる。
【００７０】
なお、端子台16も点灯ユニット17に一体に設けてもよく、この場合、点灯ユニット17が容易に着脱可能であるため、施工時には、点灯ユニット17を誘導灯本体12から外した状態で、点灯ユニット17に一体の端子台16に電源線を接続し、この電源線を接続した点灯ユニット17を誘導灯本体12の取り付けるようにしてもよい。
【図面の簡単な説明】
【００７１】
【図１】本発明の一実施の形態を示す誘導灯の分解状態の斜視図である。
【図２】同上誘導灯の誘導灯本体に点灯ユニットを取り付けた分解状態の斜視図である。
【符号の説明】
【００７２】
11    誘導灯
12    誘導灯本体
15    バッテリ
16    端子台
17    点灯ユニット
33    バッテリ着脱口
42    表示部としての表示板
48    光源としての発光ダイオード素子
60    ケース
61    バッテリ収納部
62    点灯回路
65    端子台接続部
【図１】
2008103124.tif 000003
【図２】
2008103124.tif 000004